(57)【特許請求の範囲】
【請求項１】
(a1)パケット・データ・サービスを提供するための方法であって、
(a2)通信ネットワークに関連したアクセス・ポイントにおいて、第１の優先度を有する第１のアプリケーションに基づきアクセス端末から第１の要求をおよび第２の優先度を有する第２のアプリケーションに基づき前記アクセス端末から第２の要求を受信すること、
(a3)ここにおいて、前記第１の優先度は公式使用に対応し、前記第２の優先度は非公式使用に対応し、前記第１の優先度は前記第２の優先度より高い優先度である、ここにおいて、より高いアクセスを獲得するために、前記第１の優先度は更新されることができる、
(a4)アクセスの受理を前記アクセス端末へ送信すること、ここにおいて、前記受理は前記第１のアプリケーションおよび前記第２のアプリケーションに関連した使用および優先度に基づく、
(a5)前記通信ネットワークが混雑していない場合には前記第１のアプリケーションおよび前記第２のアプリケーションに対して前記通信ネットワークのセクター容量の第１の程度を割り当て、前記通信ネットワークが混雑している場合には前記第１のアプリケーションに対して前記セクター容量の第２の程度をそして前記第２のアプリケーションに対して前記セクター容量の第３の程度を割り当てること、
(a6)前記第１のアプリケーションおよび前記第２のアプリケーションに対して前記アクセス端末に対する少なくとも１つの通信経路を確立すること、
(a7)前記第１のアプリケーションに対して前記セクター容量の前記第２の程度を割り当てた後、前記第１のアプリケーションのためのアクセスを確保するために、資源を再割り当てすること、を備える、方法。
【請求項２】
前記第１の優先度および前記第２の優先度は優先度レベルの範囲と関連付けられ、さらに、前記第１の優先度は、前記第２の優先度の優先度レベルと比較して前記優先度レベルの範囲の相対的に高い優先度レベルから割り当てられる、請求項１の方法。
【請求項３】
前記第１のアプリケーションおよび前記第２のアプリケーションのそれぞれは、少なくとも１つのサービスの質（ＱｏＳ）と関連付けられ、前記受理はさらに前記少なくとも１つのＱｏＳに基づく、請求項１の方法。
【請求項４】
公式使用をサポートするために非公式使用よりも多い資源を割り当てることをさらに備える、請求項１の方法。
【請求項５】
公式使用および非公式使用アプリケーションの両方をサポートすることをさらに備える、請求項１の方法。
【請求項６】
前記サポートすることは、公式使用アプリケーションをサポートするためにセクター容量の程度に対する制限を設定することを備える、請求項５の方法。
【請求項７】
前記第１のアプリケーションおよび前記第２のアプリケーションのそれぞれが公式使用または非公式使用に関連しているかどうかを、前記優先度に基づいて決定すること、および
前記決定に基づいて加入者アカウントを管理すること、
をさらに備える、請求項１の方法。
【請求項８】
前記アクセス端末にアクセスの受理を送信することは、前記アクセス端末に対応するＱｏＳプロファイルに一部基づいて前記第１のアプリケーションおよび前記第２のアプリケーションのそれぞれを検証することをさらに備える、請求項１の方法。
【請求項９】
前記要求における前記優先度は、アクセス制御、承認制御、および混雑制御のうちの少なくとも１つのために使用される、請求項１の方法。
【請求項１０】
(b1)通信ネットワークに関連したパケット・データ・サービスを取得するための方法であって、
(b2)アクセス端末により、
(b2-1)第１の優先度を有する第１のアプリケーションに基づき前記通信ネットワークへのアクセスの第１の要求をおよび第２の優先度を有する第２のアプリケーションに基づき第２の要求を送信すること、(b2-2)ここにおいて、前記第１の優先度は公式使用に対応し、前記第２の優先度は非公式使用に対応し、前記第１の優先度は前記第２の優先度より高い優先度である、ここにおいて、より高いアクセスを獲得するために前記第１の優先度は更新されることができる、
(b2-3)前記通信ネットワークからのアクセスの受理を受信すること、ここにおいて、前記受理は前記第１のアプリケーションおよび前記第２のアプリケーションに関連した使用および優先度に基づく、
(b3)アクセス・ポイントにより、
(b3-1)前記第１のアプリケーションおよび前記第２のアプリケーションに対して前記通信ネットワークに対する少なくとも１つの通信経路を確立すること、
を備え、
(b3-2)前記通信ネットワークが混雑していない場合には、前記通信ネットワークのセクター容量の第１の程度が、前記第１のアプリケーションおよび前記第２のアプリケーションに対して割り当てられ、前記通信ネットワークが混雑している場合には、前記セクター容量の第２の程度が前記第１のアプリケーションに対して割り当てられ、前記セクター容量の第３の程度が前記第２のアプリケーションに対して割り当てられる、
(b3-3)前記第１のアプリケーションに対して前記セクター容量の前記第２の程度を割り当てた後、第１のアプリケーションのためのアクセスを確保するために、資源を再割り当てすること、を備える、方法。
【請求項１１】
前記第１の優先度および前記第２の優先度は優先度レベルの範囲と関連付けられ、さらに、前記第１の優先度は、前記第２の優先度の優先度レベルと比較して前記優先度レベルの範囲の相対的に高い優先度レベルから割り当てられる、請求項１０の方法。
【請求項１２】
前記第１のアプリケーションおよび前記第２のアプリケーションのそれぞれは、少なくとも１つのサービスの質（ＱｏＳ）と関連付けられ、前記受理はさらに前記少なくとも１つのＱｏＳに基づく、請求項１０の方法。
【請求項１３】
パケット・データ・サービスを提供するための装置であって、
通信ネットワークに関連したアクセス・ポイントにおいて、第１の優先度を有する第１のアプリケーションに基づきアクセス端末から第１の要求をおよび第２の優先度を有する第２のアプリケーションに基づき前記アクセス端末から第２の要求を受信するための手段と、ここにおいて、前記第１の優先度は公式使用に対応し、前記第２の優先度は非公式使用に対応し、前記第１の優先度は前記第２の優先度より高い優先度である、ここにおいて、より高いアクセスを獲得するために前記第１の優先度は更新されることができる、
アクセスの受理を前記アクセス端末に送信するための手段と、ここにおいて、前記受理は前記第１のアプリケーションおよび前記第２のアプリケーションに関連した使用および優先度に基づく、
前記通信ネットワークが混雑していない場合には前記第１のアプリケーションおよび前記第２のアプリケーションに対して前記通信ネットワークのセクター容量の第１の程度を割り当て、前記通信ネットワークが混雑している場合には前記第１のアプリケーションに対して前記セクター容量の第２の程度をそして前記第２のアプリケーションに対して前記セクター容量の第３の程度を割り当てるための手段と、
前記第１のアプリケーションおよび前記第２のアプリケーションに対して前記アクセス端末に対する少なくとも１つの通信経路を確立するための手段と、
を備え、
前記第１のアプリケーションに対して前記セクター容量の前記第２の程度を割り当てた後、前記第１のアプリケーションのためのアクセスを確保するために、資源が再割り当てされる、装置。
【請求項１４】
(c1)通信ネットワークに関連したパケット・データ・サービスを取得するためのシステムであって、
(c2)第１の優先度を有する第１のアプリケーションに基づく前記通信ネットワークへのアクセスの第１の要求および第２の優先度を有する第２のアプリケーションに基づく第２の要求を送信するための手段と、ここにおいて、前記第１の優先度は公式使用に対応し、前記第２の優先度は非公式使用に対応し、前記第１の優先度は前記第２の優先度より高い優先度である、ここにおいて、より高いアクセスを獲得するために前記第１の優先度は更新されることができる、
(c3)前記通信ネットワークからのアクセスの受理を受信するための手段と、ここにおいて、前記受理は前記第１のアプリケーションおよび前記第２のアプリケーションに関連した使用および優先度に基づく、
(c4)前記第１のアプリケーションおよび前記第２のアプリケーションに対して前記通信ネットワークに対する少なくとも１つの通信経路を確立するための手段と、
を備え、
(c5)前記通信ネットワークが混雑していない場合には、前記通信ネットワークのセクター容量の第１の程度が、前記第１のアプリケーションおよび前記第２のアプリケーションに対して割り当てられ、前記通信ネットワークが混雑している場合には、前記セクター容量の第２の程度が前記第１のアプリケーションに対して割り当てられ、前記セクター容量の第３の程度が前記第２のアプリケーションに対して割り当てられる、
(c6)前記第１のアプリケーションに対して前記セクター容量の前記第２の程度を割り当てた後、前記第１のアプリケーションのためのアクセスを確保するために、資源が再割り当てされる、システム。
【請求項１５】
パケット・データ・サービスを提供するための装置であって、
通信ネットワークに関連したアクセス・ポイントにおいて、第１の優先度を有する第１のアプリケーションに基づきアクセス端末から第１の要求をおよび第２の優先度を有する第２のアプリケーションに基づき前記アクセス端末から第２の要求を受信するように構成された受信モジュールと、ここにおいて、前記第１の優先度は公式使用に対応し、前記第２の優先度は非公式使用に対応し、前記第１の優先度は前記第２の優先度より高い優先度である、ここにおいて、より高いアクセスを獲得するために前記第１の優先度は更新されることができる、
アクセスの受理を前記アクセス端末へ送信するように構成された送信モジュールと、ここにおいて、前記受理は前記第１のアプリケーションおよび前記第２のアプリケーションに関連した使用および優先度に基づく、
前記通信ネットワークが混雑していない場合には前記第１のアプリケーションおよび前記第２のアプリケーションに対して前記通信ネットワークのセクター容量の第１の程度を割り当て、前記通信ネットワークが混雑している場合には前記第１のアプリケーションに対して前記セクター容量の第２の程度をそして前記第２のアプリケーションに対して前記セクター容量の第３の程度を割り当てるように構成された割り当てモジュールと、
前記第１のアプリケーションおよび前記第２のアプリケーションに対して前記アクセス端末に対する少なくとも１つの通信経路を確立するように構成された確立モジュールと、
を備え、
前記第１のアプリケーションに対して前記セクター容量の前記第２の程度を割り当てた後、前記第１のアプリケーションのためのアクセスを確保するために、資源が再割り当てされる、装置。
【請求項１６】
通信ネットワークに関連したパケット・データ・サービスを取得するための装置であって、
第１の優先度を有する第１のアプリケーションに基づき前記通信ネットワークへのアクセスの第１の要求をおよび第２の優先度を有する第２のアプリケーションに基づき第２の要求を送信するように構成された送信モジュールと、ここにおいて、前記第１の優先度は公式使用に対応し、前記第２の優先度は非公式使用に対応し、前記第１の優先度は前記第２の優先度より高い優先度である、ここにおいて、より高いアクセスを獲得するために前記第１の優先度は更新されることができる、
前記通信ネットワークからのアクセスの受理を受信するように構成された受信モジュールと、ここにおいて、前記受理は前記第１のアプリケーションおよび前記第２のアプリケーションに関連した使用および優先度に基づく、
前記第１のアプリケーションおよび前記第２のアプリケーションに対して前記通信ネットワークに対する少なくとも１つの通信経路を確立するように構成された確立モジュールと、
を備え、
前記通信ネットワークが混雑していない場合には、前記通信ネットワークのセクター容量の第１の程度が、前記第１のアプリケーションおよび前記第２のアプリケーションに対して割り当てられ、前記通信ネットワークが混雑している場合には、前記セクター容量の第２の程度が前記第１のアプリケーションに対して割り当てられ、前記セクター容量の第３の程度が前記第２のアプリケーションに対して割り当てられる、
前記第１のアプリケーションに対して前記セクター容量の前記第２の程度を割り当てた後、前記第１のアプリケーションのためのアクセスを確保するために、資源が再割り当てされる、装置。
【請求項１７】
パケット・データ・サービスを提供するための装置であって、
通信ネットワークに関連したアクセス・ポイントにおいて、第１の優先度を有する第１のアプリケーションに基づきアクセス端末から第１の要求をおよび第２の優先度を有する第２のアプリケーションに基づき前記アクセス端末から第２の要求を受信する、ここにおいて、前記第１の優先度は公式使用に対応し、前記第２の優先度は非公式使用に対応し、前記第１の優先度は前記第２の優先度より高い優先度である、ここにおいて、より高いアクセスを獲得するために前記第１の優先度は更新されることができる、
アクセスの受理を前記アクセス端末へ送信する、ここにおいて、前記受理は前記第１のアプリケーションおよび前記第２のアプリケーションに関連した使用および優先度に基づく、
前記通信ネットワークが混雑していない場合には前記第１のアプリケーションおよび前記第２のアプリケーションに対して前記通信ネットワークのセクター容量の第１の程度を割り当て、前記通信ネットワークが混雑している場合には前記第１のアプリケーションに対して前記セクター容量の第２の程度をそして前記第２のアプリケーションに対して前記セクター容量の第３の程度を割り当てる、
前記第１のアプリケーションおよび前記第２のアプリケーションに対して前記アクセス端末に対する少なくとも１つの通信経路を確立する
ように構成されたプロセッサを備え、
前記プロセッサは、前記第１のアプリケーションに対して前記セクター容量の前記第２の程度を割り当てるようにさらに構成され、前記第１のアプリケーションに対して前記セクター容量の前記第２の程度を割り当てた後、前記第１のアプリケーションのためのアクセスを確保するために、資源が再割り当てされる、
データを記憶するための前記プロセッサに結合されたメモリユニットと、を備える装置。
【請求項１８】
前記要求において定義された前記アプリケーションの前記対応する優先度は、前記要求に対応する状況に基づいて調節される動的優先度を備える、請求項１の方法。
【請求項１９】
前記動的優先度は、当初の優先度に対する要求されたユーザ調節によって定義される請求項１８の方法であって、一時的な期間のあいだ前記動的優先度を認可することをさらに備える、請求項１８の方法。
【請求項２０】
前記要求において定義された前記アプリケーションの前記対応する優先度は、前記要求に対応する状況に基づいて調節される動的優先度を備える、請求項１０の方法。
【請求項２１】
前記動的優先度を定義するために当初の優先度に対する要求されたユーザ調節を受信することをさらに備え、一時的な期間のあいだ前記動的優先度の認可を受信することをさらに備える、請求項２０の方法。
【請求項２２】
前記第１の優先度を有する前記第１のアプリケーションに対する前記セクター容量の前記第１の程度は、前記第２の優先度を有する前記第２のアプリケーションに対する前記セクター容量の前記第１の程度に等しい、請求項１の方法。
【請求項２３】
前記第１の優先度を有する前記第１のアプリケーションに対する前記セクター容量の前記第２の程度は、前記第２の優先度を有する前記第２のアプリケーションに対する前記セクター容量の前記第２の程度より大きい、請求項１の方法。
【請求項２４】
前記第１の優先度を有する前記第１のアプリケーションに対する前記セクター容量の前記第１の程度は、前記第２の優先度を有する前記第２のアプリケーションに対する前記セクター容量の前記第１の程度に等しい、請求項１０の方法。
【請求項２５】
前記第１の優先度を有する前記第１のアプリケーションに対する前記セクター容量の前記第２の程度は、前記第２の優先度を有する前記第２のアプリケーションに対する前記セクター容量の前記第２の程度より大きい、請求項１０の方法。
【請求項２６】
前記第１のアプリケーションを立ち上げるための要求を受信すること、ここにおいて、前記アプリケーションは前記公式使用に対応する前記第１の優先度を有する、
前記第１のアプリケーションを立ち上げるための前記要求と共に特定用途向けセキュア・ログイン（secure login）情報を受信すること
をさらに備え、
前記少なくとも１つの通信経路を確立することは、前記公式使用に対応する前記第１のアプリケーションに基づき、さらに前記特定用途向けセキュア・ログイン情報に基づく、請求項１０の方法。
【請求項２７】
前記アクセス端末上での公式使用に対応する前記第１の優先度を有するアプリケーションの使用は、前記アクセス端末上での非公式使用に対応する前記第２の優先度を有するアプリケーションの使用とは異なって請求される、請求項１の方法。
【発明の詳細な説明】
【技術分野】
【０００１】
開示された態様は、概略的には商用データ通信ネットワークに関し、さらに具体的ににはパケット・データ・サービスのための確実なアクセスに関する。
【背景技術】
【０００２】
政府公安（ＰＳ）及び法執行（ＬＥ）機関は、通常、彼らの音声通信の主たる手段として私的な陸上移動無線（ＬＭＲ）システムを使用する。政府機関は、一般に独自の資源を所有しており、これら私的なネットワークは、構築しかつ維持するのが高価である。従って、商用のネットワークは、通常、これらの私的なネットワークよりも技術的に高度である。
【０００３】
商用ネットワークは、現在では、彼らのユーザに対して利用可能な種々の高度なデータ・サービス及びアプリケーションを有している。例えば、ＣＤＭＡ２０００ １ｘＥＶ−ＤＯは、ｅメール、ウエブへのアクセス、企業のバーチャルな私的ネットワークへの確実なアクセス、位置ベース・サービス、画像及びビデオの伝送のために個人のユーザに対して３．１までのデータ・レートを提供するであろう。同様のサービスは、ＬＭＲネットワークでは利用可能ではないし、近い将来には予期されていない。高度なデータ・サービスを十分に利用できることが、政府ＰＳ／ＬＥユーザによって望まれる。ＬＭＲシステムは、それらのユーザに対する信頼性のレベルに関する厳格な必要条件を有する。公式ユーザにとっては、システムに対するほぼ保証されたアクセスを有することが重要である。
【０００４】
従って、商用通信ネットワークが政府系機関によって使用されない１つの理由は、商用ネットワークが混雑しそうな場合に、これらのシステムは、通信サービスへのＰＳ／ＬＥユーザ・アクセスを確保できないことである。例えば、あらゆる商用セルラー・システムが、２００１年９月１１日のペンタゴンに対する攻撃の後の最初の数時間では「効果がなく、反応がない」（ineffective and unresponsive）ものと記述された。
【０００５】
混雑した場合の通信ネットワーク上でアクセスを試みかつ確保するための既存の努力がある。ナショナル・コミュニケーションズ・システム（ＮＣＳ）は、緊急時における有線及び無線通信サービスに対する信頼できるアクセスを国家安全及び緊急時対応（ＮＳ／ＥＰ）政府ユーザに確保することを担当する政府機関である。ＮＣＳは、有線公衆交換通信ネットワーク（ＰＳＴＮ）に対する優先アクセスを、そのＰＳＴＮが混雑していても、ＮＳ／ＥＰユーザに許容する政府緊急通信ネットワーク（ＧＥＴＳ）を操作する。ＧＥＴＳは、商用ＰＳＴＮ交換機における付加的な特徴としてインプリメントされる。ＧＥＴＳは、ユーザがＧＥＴＳアクセス電話番号（1-710-NCS-GETS）をダイヤルする場合には、呼毎で（on a call by call basis）優先アクセスを提供し、そしてその後、プロンプトされた後で、ユーザＩＤとパスワードを提供する。ＧＥＴＳはデバイス・ベースではなくてユーザ・ベースであるから、ＧＥＴＳユーザは、単一のデバイスを使用している場合に優先権を得ることに制限されない。ＮＣＳは、これらの優先権アクセス特徴を商用ワイヤレス・ネットワーク上のユーザにも利用可能にするように働いている。多くの特徴が優先権アクセスを提供することを促進するＣＤＭＡ基準に含まれているが、これらの特徴は、商用システムでは一般にインプリメントしていない。
【０００６】
最近、ＮＣＳは、無線優先サービス（ＷＰＳ）として知られている無線ネットワークのための優先アクセス・サービスを定義した。ＷＰＳは、米国における主要なＣＤＭＡキャリアによって展開されつつある。ＣＤＭＡユーザは、彼らの相手方電話番号をＷＰＳアクセスコード（＊２７２）で予め保留にする（pre-pending）ことによってＷＰＳにアクセスする。このコードは、セルラー・モバイル交換機によって、ＷＰＳサービスの要求として認識される。そのデバイスは、セルラーのホーム位置レジスタ（ＨＬＲ）あるいはＳＳ７サービス制御ポイント（ＳＣＰ）における適切なプロビジョニング記録（provisioning records）をチェックすることにより、ＷＰＳサービスを受けることを認められているとして有効になる。ＷＰＳサービスが成功裡に認可され、かつ呼を終了するための資源が現在利用可能でない場合には、ユーザの呼はキュー（queued）される。資源が利用可能になる場合、この呼は終了し、同じオープン・チャネルを求めている新しい非ＷＰＳ呼（non-WPS calls）よりも優先度を受ける。これは、ネットワークが混雑状態になった場合に、セルラー・ネットワークへのアクセスを獲得する際に商用セルラー・ユーザよりも優先度をＰＳ／ＬＥユーザに提供するであろう。しかし、このサービスは、音声サービス向けのみである。ＷＰＳは、ｃｄｍａ２０００ １ＸＲＴＴパケット・データ呼には優先アクセス（priority access）を提供せず、また、それは新しい高速パケット・データ（ＥＶ−ＤＯ）ネットワークでは利用可能でない。
【０００７】
さらに、緊急事態が生じた場合には、１ｘＲＴＴ及び１ｘＥＶ−ＤＯネットワークは、その緊急事態の出来事に関連した情報を得るために公衆による増加した使用により混雑した状態となる。ＰＳ／ＬＥユーザにとって音声呼を行うことが難しくなることがあり、音声呼を終える際の遅れが大幅に増加することがある。
【０００８】
同様に、緊急時にデータ・アプリケーションの商用の大衆の使用も増加すると仮定すると、前もって要求されておらずかつＰＳ／ＬＥ優先度取り扱いを許可された非公式のデータ・アプリケーションに対するＤＯネットワークの実効スループットが減少される。従って、上記の問題に対する解決策を提供する技術的必要性がある。
【発明の概要】
【０００９】
ここに開示される種々の態様は、政府機関ユーザ用の無線通信ネットワーク上でパケット・データ・サービスを提供する方法及び装置であって、そのネットワークが混雑しているときでも、商用パケット・データ・サービスを便利に利用できる能力を彼らに与え、同時に、資源を最適化する能力をネットワークに許容する方法及び装置に関する。
【００１０】
いくつかの態様では、少なくとも１つのアプリケーションに基づいてアクセスを要求するアクセス端末からの要求が、通信ネットワークに関連したアクセス・ポイントで受信される方法であって、前記少なくとも１つのアプリケーションは公式使用又は非公式使用のうちの少なくとも１つに関連している、方法が提供される。その後、アクセスに対する受理が、アクセス端末へ送信され、そこでは、その受理は、前記少なくとも１つのアプリケーションに関連付けられた使用に基づいており、かつ、アクセス端末に対する少なくとも１つの通信経路が前記少なくとも１つのアプリケーションに対して確立される。
【００１１】
いくつかの態様では、１つの方法は、少なくとも１つのアプリケーションに基づいてアクセスに対する要求を通信ネットワークに送信すること、そこにおいて、前記少なくとも１つのアプリケーションは公式使用及び非公式使用のうちの少なくとも１つに関連付けられている；前記通信ネットワークからアクセスに対する受理を受信すること、そこにおいて、その受理は前記少なくとも１つのアプリケーションに関連付けられた使用に基づいている；そして、前記少なくとも１つのアプリケーションに対して前記通信ネットワークとの少なくとも１つの通信経路を確立すること、を備える。種々の態様の他の利益、特徴及び利点は、下記の詳細な説明から明らかとなるであろう。しかし、当業者には、本発明の精神及び範囲内の種々の変更及び修正がこの説明から明らかとなるであろうから、この詳細な説明及び特定の実施例は例示のためのみに与えられるものであることが理解されるべきである。
【図面の簡単な説明】
【００１２】
【図１】図１は、無線商用通信ネットワークのブロック図を示す。
【図２】図２は、公式及び非公式のアプリケーションを走らせるアクセス端末の例示的な概念図を示す。
【図３】図３は、優先度レベルの変化する程度の例示的な範囲を示す。
【図４】図４は、１ｘＥＶ−ＤＯネットワーク上のアクセス端末のためのＱｏＳを構成する呼フローを示す。
【図５Ａ】図５Ａは、混雑していない通信ネットワークにおいてセクター容量を割当てるための例示的な概念を示す。
【図５Ｂ】図５Ｂは、混雑した通信ネットワークにおいてセクター容量を割当てるための例示的な概念を示す。
【図６】図６は、公式及び非公式のアプリケーションに対する優先度レベルの変化する程度を使用する例示的な概念を示す。
【図７】図７は、アクセス端末が通信システム上で確かなアクセスを得るための例示的なプロセスを示す。
【図８】図８は、ネットワークがアクセス端末との確実なアクセス通信を確立するための例示的なプロセスを示す。
【図９】図９は、通信ネットワークに関連したパケット・データ・サービスを得るための装置の一例を示す。
【図１０】図１０は、通信ネットワークに関連したパケット・データ・サービスを提供するための装置の一例を示す。
【図１１】図１１は、例示的な商用アクセス・ポイント及びネットワークを示す。
【図１２】図１２は、例示的なアクセス端末を示す。
【詳細な説明】
【００１３】
「例示的な」という語は、ここでは、実例、場合又は例示として役立つことを意味するように使用される。「例示的な」としてここに記述される態様は、他の態様よりも好ましい又は有利であると必ずしも解釈されるべきものはない。「公式ユーザ」は、ここでは、公安、法執行又は同等の政府ユーザを意味するものである。「非公式」ユーザは、ここでは、公式でない他のユーザを意味するものである。本開示の種々の態様が下記に記述される。ここにおける教示は種々の形式で具体化されうること及びここに開示される特定の構成、機能、又は両者は単なる例示であることが明らかであろう。ここにおける教示に基づいて、１、当業者は、ここに開示される態様は他の態様とは独立にインプリメントされてもよいこと及びこれらの態様のうちの１つ又は複数が種々の方法で組み合わされてもよいことを認識するであろう。例えば、ここに示される態様のうちの任意の数の態様を使用して、装置はインプリメントされてもよく、そして、方法は実施されてもよい。さらに、ここに示される態様のうちの１つ又は複数に追加して又はそれら以外の他の構成、機能、又は構成及び機能を使用して、そのよな装置ハインプリメントされてもよく又はそのような方法は実施されてもよい。
【００１４】
種々の態様は、通信ネットワーク上のパケット・データサービスを確保する方法及び装置を開示する。その方法及び装置は、無線商業通信ネットワーク上でパケット・データ・サービスに対して確実なアクセスを有するために公式ユーザによって使用されうる。その方法は、両方が通信ネットワークの一部分であるアクセス端末（ＡＴ）とアクセス・ポイント（ＡＰ）の間のセッションを確立するステップと、ＡＴからのサービスの要求を受信するステップ、そのＡＴにアクセスの受理を送信するステップ、及び通信経路を確立するステップを備える。パケット・データ・サービスを要求すること、受理すること、及び確立することは、ＡＴの上で提供される公式又は非公式の使用アプリケーションに基づく。特に、このアプリケーションに基づいて要求することは、ユーザを識別し、ネットワーク資源を割り当てかつ管理し、そして公式使用アプリケーションに優先アクセスを与えるためにネットワークによって使用されうる。
【００１５】
図１は、無線商用通信ネットワークの例示的な高レベル図を示す。アクセス端末１０６ｘ及び１０６ｙは、通信ネットワーク１０２に接続されるアクセス・ポイント１０４と通信状態にある。アクセス・ポイントは、一般に、ユーザ端末と通信し、かつ基地局あるいは他のある用語で呼ばれてもよい固定局である。２つのアクセス端末と１つのアクセス・ポイントだけが例示目的のために示されている。しかし、典型的な無線通信ネットワークは、多くのアクセス・ポイント及び端末を有することは技術的に公知である。通信ネットワーク１０２は、エンド・ツー・エンド通信を促進するものであり、例えば、ＰＳＴＮ／ＩＳＤＮ、ＭＳＣ、ＤＳＬ、加入者データベース、ＷＬＡＮ、他のアクセス・ポイント、ＰＯＴＳあるいはインターネットを含んでもよい。
【００１６】
種々の態様では、ＡＴは、公式使用及び非公式使用アプリケーションを備える。ＡＴは、無線通信ネットワークに関連した無線通信のための手段を提供する任意のタイプの端末装置を含んでもよいが、それに限定されない。例えば、ＡＴは、ラップトップ、携帯情報端末（ＰＤＡ）あるいは携帯電話からなってもよい。アクセス要求は、２つのタイプのアプリケーションのうちのどちらがアクセスを要求したかに基づく。図２は、公式使用のためのアプリケーション２０２及び非公式使用のためのアプリケーション２０４を含むＡＴ２００を示している。用語「アプリケーションは、ここでは、公式及び非公式使用アプリケーションの両方を意味するように使用される。公式使用及び非公式使用のためでありうるアプリケーションのタイプの１つの例は、ＶｏＩＰ、ビデオ・テレフォニ、ファイル転送、及びウエブ・ブラウジングである。アプリケーションのタイプの例があるが、パケット・データを利用するアプリケーションは、適用可能なアプリケーションと考えられてもよい。オプション機能は、公式ユーザは、勤務中の場合には公式使用アプリケーションを使用し、勤務中でない場合には非公式使用アプリケーション使用することであってもよい。これは、「必要ベース」（on an "as need basis）で、公式ユーザが公式使用アプリケーションを使用できるようにすることによって資源を最適化するのを助けることができる。さらに、アクセス要求をアプリケーションに基づくようにすることによって、これは、ＷＰＳ及びＧＥＴＳシステムによって必要とされるように各呼に対する予め保留にする数（prepending number）又はパスワード及びＩＤを入力しなければならないことから公式ユーザを解放することができる。
【００１７】
他の態様では、オプション機能は、公式使用アプリケーションを開く、立ち上げる、又は使用するために、セキュリテイ・ログイン（security login）を必要とすることであろう。例えば、個人のＰＩＮ又はパスワードが使用されうる。他の生態情報がセキュア・ログイン特徴（secure login feature）として使用されうる。例えば、公式ユーザの指紋又は声紋が、公式使用アプリケーションへのログインとして使用されうる、いったんログインされると、ユーザがログアウトするまで、公式ユーザは、ログインを再び入れる必要なしに、１つ又は複数の公式使用アプリケーションを使用できる。これは、セキュリティ特徴を提供し、そして、他のユーザが公式使用アプリケーションを立ち上げるか又はそれにアクセスするのを阻止する。
【００１８】
他の態様では、アプリケーションは、それらに関連付けられた優先度を有する。公式使用アプリケーションは、高い優先度を有することができ、非公式使用アプリケーションは、それらに関連付けられた中間の又は低い優先度を有することができる。図３は、公式及び非公式使用アプリケーションの優先度がどのように働くことができるかの例を示す。最低の優先度レベル３１２から最高優先度レベル３１０までの優先度レベル３００の範囲が示されている。この例では、公式使用のためのアプリケーションは、上位６つの優先度レベルからの優先度を割り当てられることができ、また、非公式使用アプリケーションは、上位６つの優先度レベルより低い優先度レベルを割り当てられることができた。公式使用アプリケーションが非公式使用アプリケーションより高い優先度を有していれば、アプリケーションに優先度レベルを割り当てる任意の構成が可能である。優先度レベルはネットワークが公式ユーザを非公式ユーザから識別できるようにすることができ、従って、ネットワーク資源を完全に最適化しかつ公式ユーザ・アクセスを保証する能力をネットワークに許容する。
【００１９】
他のオプションの態様では、ＡＴ上のアプリケーションは、種々の程度の優先度レベルを有することができた。さらに、１つのアプリケーション当たりの優先度レベルは、ＡＴによって異なってもよい。図６はこの特徴を示している。公式ユーザのＡＴは、優先度レベルが１５の公式ＶｏＩＰ ６０５、優先度レベルが１０の非勤務（off duty）非公式VoIP 604、及び優先度レベルが３の非勤務非公式ウエブ・ブラウジング（web browsing）６０３を有することができた。非公式ユーザのＡＴは、優先度レベルが１０のＶｏＩＰ ６０２、及び優先度レベルが５のウェブ・ブラウジング６０１を有することができた。アプリケーションとユーザの間の優先度レベルを変える能力は、通信資源の最適化された使用を許容し、かつ、種々のグループのユーザにカスタマイズド・サービスを提供するであろう。
【００２０】
他のオプションの態様では、各アプリケーションに関連付けられた優先度レベルは、ＡＴで予めプログラム化されてもよく、あるいは、優先度レベルは動的であってもよい。例えば、ある状況の下での公式ユーザは、前もって関連付けされたアプリケーションに対してより高い優先アクセスを有する必要とすることがある。ユーザは、より高いアクセスを獲得するために優先度レベルを更新してもよい。例えば、公式ユーザは、より高い優先アクセスに対する無線による認可を受け取り、そして、公式使用アプリケーション優先度を更新してもよい。更新された優先度は、一時的であり、所定の時間の後に終了し、そして、通常の動作レベルを戻ってもよい。あるグループ又はユーザに、彼らのアプリケーション優先事項を静的に又は動的にカスタマイズする柔軟性を許容することは、それらのグループ又はユーザに彼らの個々のニーズに合わせてサービスを調整する能力を可能にすることになる。
【００２１】
図４は、１ｘＥＶ−ＤＯネットワーク４００上で種々の態様がどのように使用できたかの例を実証する。ＧＳＭ(登録商標)ネットワークのような他のネットワーク上でも種々の態様が使用できるのであり、ここに例示の目的で示された１ｘＥＶ−ＤＯネットワークに限定されることを意味するものではない。１ｘＥＶ−ＤＯネットワークは技術的に公知であり、そのネットワーク又はそれの用語についての説明はこの文書では開示されない。最初に、ＡＴ １０６ｘに対してパケット・データ・セッションが確立される４０５。ＰＤＳＮ４０３は、アクセス要求４０６をＡＡＡ４０４に送る。ＡＡＡは、ＱｏＳプロファイルを含むＡＴの加入者プロファイル４０８を１ｘＥＶ−ＤＯ ＲＡＮ４０２へ戻す４１０。さらに、ＰＤＳＮは、ＱｏＳパラメータのうちのいくつかについて認可を行なう。１つの態様では、ＱｏＳ活性化及び使用に先立って、ネットワーク及びアクセス端末（ＡＴ）でＱｏＳフローの認可及び構成を行うことができる。これは、パケット・データ接続が確立されると、ＱｏＳフローの迅速な活性化を許容するであろう。ＡＴは、ＱｏＳ構成要求４１２を１ｘＥＶ−ＤＯ ＲＡＮに送り、また、ＲＡＮは、ＡＴのＱｏＳプロファイルに基づいて要求４１４を認可する。認可されると、ＲＡＮは、ＱｏＳ配位受理４１６をＡＴに送る。ＲＡＮは、ＡＴに対するＲＬＰフロー及びＲＬＭＡＣフローを構成する４１８。最後に、ＲＡＮ及びＡＴは、各フローに対する接続４２０を確立する。ＱｏＳフローが構成されかつ活性化されると、ＡＴは、公式又は非公式使用アプリケーションに基づいて、接続要求を行なうことができる。ＲＡＮは、フローの要求された優先度に基づいて、要求されたフローを認めることを試みる。認められると、ＲＡＮは、セクター資源をを割り付けて、そして、フロー接続を設定する。各ＱｏＳは、ＲＡＮ−ＰＤＳＮインターフェース上にそれ自体のＡ１０接続を有する。各アプリケーションは、通常、それに関連付けられたそれ自体のＱｏＳフローを有する。アプリケーションは、１つより多いフローを有する。ユーザ優先度レベルを追跡するユーザＱｏＳプロファイルがＡＡＡに格納される。ＱｏＳプロファイルは、ユーザが特定のフローに対して有することを認可される最高のフロー優先度を示す。１つの態様では、ネットワークが１つの公式使用アプリケーション又は公式ユーザを他の非公式使用アプリケーション又は非公式ユーザと識別できることが有用であろう。１つの解決は、ＡＡＡの加入者ＱｏＳプロファイルにこの情報を提供することであろう。ＡＴ上で公式使用アプリケーションを立ち上げる又は使用する場合の公式ユーザは、高い優先度ＱｏＳフローを要求するであろう。ＡＡＡは、公式使用アプリケーション及びユーザに対する予約した優先度レベル又は優先度レベルの範囲がある図３に示された例示の範囲のようなＱｏＳフロー優先度の範囲を使用できるであろう。ＡＡＡ又はネットワークは、公式ユーザを非公式ユーザから又は公式使用アプリケーションを非公式使用アプリケーションから識別するためにこれらの優先度レベルを使用できるであろう。例えば、ＡＡＡは、０−１５の優先度範囲を有し、公式ユーザだけのために上位５つのレベルを予約できるであろ���。商用ユーザ又は非公式ユーザは、０−１０の優先度レベルを使用できるであろう。ネットワークは、課金及び清算（billing and accounting）を管理するためにこの情報を利用できるであろう。ネットワークは、公式使用及び非公式使用アプリケーションに対する課金を単一の装置で識別することさえできるであろう。
【００２２】
他のオプションの態様では、ネットワークは、公式ユーザへの確実なアクセスを提供するために資源を再割り当てする能力を有することができるであろう。その再割り当ては、資源の最も効率的な使用を動的に可能にすることができるであろう。商用通信ネットワーク上では、最適化された資源を有することが有利である。１つの態様では、ネットワークは、公式ユーザ又は公式使用アプリケーションに全体のセクター容量のうちのあるパーセンテージを割り当てることにより、これを達成できるであろう。図５Ａは、ネットワークが混雑していない場合の割当てスキームを示している。全セクター・パーセンテージ５０４は、公式及び非公式両方のすべてのユーザ又はアプリケーションに割り当てられる。図５Ｂは、ネットワークが混雑している場合の割当てスキームを示している。公式ユーザ又は公式使用アプリケーションに対する全セクター・パーセンテージ限界５１０が存在しうるであろう。その場合には、全セクター容量のあるパーセンテージが公式ユーザ又はアプリケーション５０６だけに割り当てられ、そして、セクター容量の残りは、非公式ユーザ又はアプリケーションに割り当てられる５０８。ネットワークは、ＱｏＳ及び優先度情報を承認制御、混雑制御及びアクセス制御のために使用できるであろう。例えば、ネットワークは、ネットワーク持続値（network persistence values）をセットするために優先度情報を使用できるであろう。ネットワークが混雑している（congested）場合の緊急時には、ネットワークは、非公式使用アプリケーション又は非公式ユーザがアクセス試みを行なうことができるのを減少し、制限し又は阻止できるであろう。ネットワークはまた、公式ユーザに対するアクセスを確保するために資源を再割り当てできるであろう。例えば、非公式ユーザのＱｏＳを変更すること、非公式ユーザのデータ・レートを下げること、非公式ユーザをネットワークから落とすこと、又はこれらの態様の任意の組合せによる。
【００２３】
他のオプションの態様では、ネットワークは、公式使用アプリケーションのためのエンド・ツー・エンド処理（end to end processing）を促進するのを助けるであろう。例えば、通信ネットワークは、公式使用に関連した第１のアプリケーションのエンド・ツー・エンドＱｏＳを促進する任意の外部データ・ネットワークにＱｏＳ表示を提供できるであろう。
【００２４】
図７は、ここに記述される種々の取得処理技術（acquiring processing techniques）をインプリメントするためにアクセス端末で行なわれてもよいプロセス７００の流れ図である。アプリケーションに基づいたパケット・データ・サービスでは、ＡＴからのアクセスの要求はＡＰに送られる（ステップ７０６）。そのアプリケーションは、公式使用又は未公式使用のいずれかのものである。そのアプリケーションは、それに関連した優先度レベルを有することができるであろう。ＡＴは、アクセス要求の受理を受け取る（ステップ７０８。その要求及び受理の結果として、パケット・データ・サービスのための通信経路が確立される（７１０）。
【００２５】
図８は、ここに記述される種々の提供処理技術（providing processing techniques）をインプリメントするためにアクセス・ポイントで行なわれてもよいプロセス８００の流れ図である。最初に、ＡＰは、ＡＴからアクセス要求を受け取る（ステップ８０６）。その要求は、ＡＴのアプリケーションに基づいたパケット・データ・サービスに対するものである。そのアプリケーションは、公式使用又は非公式使用のものである。そのアプリケーションは、それに関連した優先度レベルを有することができるであろう。ＡＰは、それ自体で又はネットワークと関連して、サービスの受理を認可しかつＡＴに送る（ステップ８１２）。その要求及び受理の結果として、パケット・データ・サービスのための通信経路が確立される（８１４）。
【００２６】
図９は、アプリケーションに基づいたパケット・データ・サービスのために、ＡＴからのアクセス要請を送信する送信モジュールを備えたＡＴ９００を示している。そのアプリケーションは、公式使用又は非公式使用のいずれかのものである。そのアプリケーションは、それに関連した優先度レベルを有することができるであろう。アクセス要求のための受理を受け取る受信モジュール。パケット・データ・サービスのための通信経路を確立する確立モジュール。
【００２７】
図１０は、アプリケーションに基づいたパケット・データ・サービスのためのアクセス要求を受け取る受信モジュールを備えたＡＰ１０００を示している。そのアプリケーションは、公式使用又は非公式使用のいずれかのものである。そのアプリケーションは、それに関連した優先度レベルを有することができるであろう。受理を送信する送信するモジュール。パケット・データ・サービスのための通信経路を確立する確立モジュール。
【００２８】
図１１は、例示的な無線基地及び他のネットワーク・コンポーネント１１００を示している。基地局トランシーバ（ＢＴＳ）１１０５ｘ及び１１０５ｙは、基地局と移動体の間の無線周波数（ＲＦ）信号の受信及び送信に関与する。ＢＴＳは、例えば、アンテナ、タワー、電力増幅器、変調器と復調器、及び暗号化及び解読器を備えることができるであろう。それらは、基地局コントローラ（ＢＳＣ）１１０１へと情報を中継する。アクセス・ポイント又はノード−Ｂとも呼ばれるいくつかのＢＴＳは、１つ又は複数のＢＳＣと通信することができるであろう。２つのＢＴＳ及び１つのＢＳＣだけがここには単純性のためにここに示されているにすぎないが、ネットワークは、１つ又は複数のＢＳＣに関連して多くのＢＴＳを備える。ＢＳＣは、基地局の動作を指図する。そのＢＳＣは、例えば、呼を設定しかつ除去すること、チャネル資源を選択しかつ割り当てること、及びハンドオーバーを制御することに関与する。そのＢＳＣは、特に、多くのハードウェア及びソフトウェア・モジュールで構成される。例えば、デジタル及びアナログ・スイッチ、ラック、プロセッサ、電源、メモリ、バス及びケーブル。無線ネットワーク制御装置（ＲＮＣ）との呼ばれるＢＳＣは、通常、ＢＳＣを制御しかつ呼制御能力を提供する移動交換局（ＭＳＣ）への「バックホール」接続（"backhaul" connection）を有する。ＭＳＣはまた、通常、アクセス端末とも呼ばれる移動体とネットワークを追跡する。ＭＳＣは、モバイル・ユーザと他のネットワークとの間の通信を管理するために、ビジタ・ロケーション・レジスタのような多くのデータベースを利用する。ＶＬＲは、そのＭＳＣによってサーブ（served）される領域内の各移動体についての情報を一時的に凝視する。ホーム・ロケーション・レジスタ（ＨＬＲ）は、ＭＳＣが使用する他のデータベースであり、すべての加入者のための中央データベースであって、各加入者の識別（identity）、彼らがアクセスするサービス、及びその加入者が最後に登録された場所についての詳細を含んでいる。公衆交換電話ネットワーク（ＰＳＴＮ／ＩＳＤＮ）又は公衆電話ネットワーク１１１８に接続するＭＳＣは、通常、ゲートウェイＭＳＣと呼ばれる。地上通信線基本電話サービス（ＰＯＴＳ）１１２０は、公衆電話ネットワークの一部である。パーソナルコンピュータ（ＰＣ）１１２２は、パケット・データ・ネットワークに接続する。パケット・データ・ネットワーク１１１５は、インターネットあるいは汎用パケット無線システム（ＧＰＲＳ）のようなもので構成される。
【００２９】
図１２は例示的な移動体１２００を示している。移動体は、無線周波数（ＲＦ）信号を受信しかつ送信するためのアンテナ１２２０を有している。簡単のために１本のアンテナだけしか示されていないが、１本より多いアンテナが使用できる。ＲＦ送信及び受信サブシステム１２１５は、主としてベースバンドからＲＦ帯域への信号を調整することに関与しており、例えば、フィルタリング、アップコンバーテイング及びダウンコンバーテイング、変調及び復調を含むことができる。そのサブシステムは、例えば、電力増幅器、フィルタ、スイッチ、ＶＣＯ、ＰＬＬ、発振器、ＡＤＣ及びＤＡＣを含むことができる。ユーザー・インタフェース（ＵＩ）１２１０は、モバイルデバイスとユーザの間の情報の入力と出力を可能にする。ＵＩは、例えば、キーパッド、ディスプレイ、ＬＥＤ、マイクロホン、スピーカーあるいはバイブレータを含むことができる。データ・ソース／出力１２０５は、任意の数のデータ・ソース又はプロセッサ／コントローラ１２０１への及びからの出力であってもよい。例えば、データ・ソースは、ＰＣＭ信号、パケット・データあるいはＭＰＥＧ流れであてもよく、基本的に、プロセッサ／コントローラ間への及びからの任意のＩ／Ｏへのモバイルデバイスの任意のＩ／Ｏへの又はからの任意のデータであってもよい。Ｉ／Ｏ付属品及び周辺ユニット１２１８は、プロセッサ／コントローラと関連してその周辺装置又は付属品の入力及び出力を調整しかつ制御することに関与する。Ｉ／Ｏ付属品及び周辺ユニットは、例えば、メモリ、アダプタ、プラグ、バス、マイクロ・コントローラ、マイクロプロセッサ、アンプ、フィルタ、トランシーバ、変換器及びモデムを含むことができる。例は、ハンド・フリー・キット、ヘッドホーン、ブルートゥース（登録商標）・デバイス、カメラ、ＩｒＤＡ、ＲＳ２３２、ＪＴＡＧ及びＵＳＢである。プロセッサ／コントローラ１２０１は、移動体の機能のすべての態様を調整しかつ管理することに関与する。例えば、タイミングを調整する、ソフトウェア・コードを格納しかつ実行する、データを圧縮しかつ変換する、データのフロー及びトラヒックを指示する、周辺装置及びユーザ入力を制御する、電力資源を管理する。プロセッサ／コントローラは、１つ又は複数のデバイスを含むことができ、そして、例えば、マイクロプロセッサ、ＤＳＰ又はＡＳＩＣであってもよい。メモリ・ユニット１２０８は、プロセッサ／コントローラに接続され、１つ又は複数のデバイスを含むことができる。メモリ・ユニットは、プロセッサ／コントローラをサポートする。メモリ・ユニット１２０８は、例えば、ＥＥＰＲＯＭ、ＲＡＭ、フラッシュ、外部メモリカード、ＤＳＲＡＭ又はＰＬＤを含むことできる。電源装置１２１２は、モバイルデバイスに電力を供給する。電源装置１２１２は、１つより多いバッテリ、フィルタ、ＶＣＯ、ＬＤＲである。
【００３０】
例示的な移動体１２００は、アクセス端末の一例であってもよく、また、例示的な無線基地局１１００は、種々の開示された態様に対するアクセス・ポイントの一例であってもよい。基地局１１００は、ＢＴＳとＢＳＣ経由でアクセス要求を受け取ることができる。その後、基地局は、ネットワークと関連してＢＳＣ及びＢＴＳ経由で受理を送信することができる。ネットワークと関連するＢＴＳ及びＢＳＣは、必要な通信経路を確立することができる。他の態様では、移動体１２００は、移動体のアンテナ１２２０、ＲＦ送信及び受信サブシステムズ１２１５及びプロセッサ／コントローラ１２０１によって基地局１１００とのセッションを確立するであろう。その後、移動体は、プロセッサ／コントローラ１２０１及び記憶素子１２０８によりアプリケーションに基づいてアクセス要求を送信することができる。公式使用アプリケーションがそれらの使用のために関連づけられたそれら自体のプロセッサ及びメモリ・ユニットを有するようにできる１つより多いプロセッサ及びメモリ・ユニットが存在してもよい。その後、移動体は、基地局から受理を受け取り、そして、アプリケーションのための通信経路を確立することができる。移動局を含む通信ネットワークが動作するための詳細及び必要な要件は、技術的に公知であるから、本文書ではさらなる説明は必要ではなく提示されない。インプリメントされる機能性は、特定のアプリケーション及びシステム全体に課せられる設計制約に依存する。当業者、種々の開示される態様を通信ネットワーク上でどのようにインプリメントすべきかを知るであろう。
【００３１】
当業者は、ここに開示される態様に関連して記述される種々の例示的な論理ブロック、モジュール、及びステップは、ハードウエア、ソフトウエア、ファームウエア、又はそれらの任意の組合せとしてインプリメントされてもよいこと、及び、ハードウエア・インプリメンテーションはデジタル、アナログ又は両方であっても良いことを認識するであろう。ハードウェアとソフトウェアのこの互換性を明瞭に例証するために、種々の実例となるコンポーネント、ブロック、モジュール及びステップが、それらの機能性について上記で一般的に説明された。そのような機能性がハードウェアとして又はソフトウェアとしてインプリメントされるかは、特定のアプリケーション及び特定のアプリケーション及びシステム全体に課せられる設計制約に依存する。当業者は、各特定のアプリケーションに対して種々の方法で上記の機能性をインプリメントできるであろうが、そのようなインプリメンテーション決定は、本開示の範囲からの逸脱を生じさせるように解釈されるべきではない。
【００３２】
ここに開示された態様に関して記述された種々の実例となる論理ブロック及びモジュールは、汎用プロセッサ、デジタル信号プロセッサ（ＤＳＰ）、特定用途向け集積回路（ＡＳＩＣ）、フィールドプログラム可能なゲートアレイ（ＦＰＧＡ）あるいは他のプログラム可能論理デバイス、個別のゲート又はトランジスタ・ロジック、個別のハードウエア・コンポーネント、又はここに記述された機能を実行するように設計されたそれらの任意の組合せでインプリメントされ又は実行されてもよい。汎用プロセッサは、マイクロプロセッサであってもよいが、代案では、そのプロセッサは、任意の従来のプロセッサ、コントローラ、マイクロコントローラ又はステート・マシンであってもよい。プロセッサは、コンピューティングデバイスの組合せ、例えば、ＤＳＰ及びマイクロプロセッサの組合せ、複数のマイクロプロセッサ、ＤＳＰコアと関連する１つ又は複数のマイクロプロセッサあるいは他のそのような構成としてインプリメントされてもよい。
【００３３】
例示的な記憶媒体は、プロセッサがその記憶媒体から情報を読取りかつ情報をそれに書き込むことができるように、そのプロセッサに結合される。代案では、記憶媒体は、プロセッサと一体であってもよい。そのプロセッサと記憶媒体は、ＡＳＩＣに存在してもよい。そのＡＳＩＣはユーザ端末に存在してもよい。代案では、プロセッサと記憶媒体は、ユーザ端末に個別のコンポーネントとして存在してもよい。
【００３４】
ここに開示された態様に関連して記述された方法又はアルゴリズムのステップ又は関数は、ハードウェア、プロセッサによって実行されるソフトウェア、又はっそれら２つの組合せで直接具体化されてもよい。そのステップ又は関数は、態様の範囲から逸脱することなしに交換されうる。
【００３５】
ステップ又は関数がソフトウェアでインプリメントされる場合には、そのステップ又は関数は、コンピュータ読取り可能媒体上のコードの１つ又は複数の命令として格納されるか、又は送信されてもよい。コンピュータ読取り可能媒体は、コンピュータ記憶媒体及びある場所から他のの場所へのコンピュータ・プログラムの転送を促進する任意の媒体を含む通信媒体の両方を含む。記憶媒体は、汎用又は専用コンピュータによって評価することができる任意の利用可能な媒体であってもよい。制限ではなくて例示として、そのようなコンピュータ読取り可能媒体は、ＲＡＭ、フラッシュメモリ、ＲＯＭ、ＥＰＲＯＭ、ＥＥＰＲＯＭ、レジスタ、ハードディスク、リムーバブル・ディスク、ＣＤ−ＲＯＭ、光ディスク記憶装置、磁気ディスク記憶装置、又は命令又はデータ構造の形態の所望のプログラム・コード手段を搬送又は格納するために使用できかつ汎用又は専用コンピュータあるいは汎用又は専用プロセッサによってアクセスできる任意の他の媒体を含むことができる。また、任意の接続がコンピュータ読取り可能媒体と適切に称せられる。例えば、同軸ケーブル、ファイバ・オプテイック・ケーブル、ツイスト・ペア、デジタル加入者線（ＤＳＬ）、又は赤外線、ラジオ、及びマイクロ波のような無線技術を用いて、ソフトウエアがウエブサイト、サーバ、又は他の遠隔ソースから送信される場合には、その同軸ケーブル、ファイバ・オプテイック・ケーブル、ツイスト・ペア、デジタル加入者線（ＤＳＬ）、又は赤外線、ラジオ、及びマイクロ波のような無線技術は、媒体の定義に含まれる。ここで使用されるディスク（disk）及びディスク（disc）は、コンパクト・ディスク（ＣＤ）、レーザーディスク（登録商標）、光ディスク、ＤＶＤ（ＤＶＤ）、フロッピー（登録商標）ディスク及びブルーレイ（登録商標）・ディスクを含み、ここにおいて、ディスク（disks）は、通常、データを磁気的に再生し、他方、ディスク（discs）は、データを光学的に再生する。コンピュータ・プログラム製品は、ＣＤ又はソフトウェア媒体をそれにパッケージするための材料をも示すであろう。上記のものの組合せもコンピュータ読取り可能媒体の範囲内に含まれるべきである。
【００３６】
ある態様についての上記の説明は、当業者が本発明を実施又は使用できるようにするために提示されている。これらの態様に対する種々の修正は、当業者に容易に明白となるであろうし、また、ここに定義された総括的な原理は、本開示の範囲から逸脱することなしに他の態様に適用されうる。従って、本開示は、ここに示された態様に限定されることは意図されておらず、ここに開示された原理及び新規な特徴と整合した最も広い範囲を与えられるべきである。
下記に出願時請求項１−４７に対応する記載を付記１−４７として表記する。
付記１
下記のことを備える、パケット・データ・サービスを提供するための方法：
少なくとも１つのアプリケーションに基づいてアクセスを要求するアクセス端末からの要求を、通信ネットワークと関連したアクセス・ポイントにおいて、受信すること、そこにおいて前記少なくとも１つのアプリケーションは公式使用及び非公式使用のうちの少なくとも１つと関連している；
アクセスの受理を前記アクセス端末へ送信すること、そこにおいて前記受理は前記少なくとも１つのアプリケーションに関連した前記使用に基づく；及び
前記少なくとも１つのアプリケーションに対して前記アクセス端末に対する少なくとも１つの通信経路を確立すること。
付記２
前記少なくとも１つのアプリケーションは、少なくとも１つの優先度に関連付けられ、そしてそこにおいて前記受理は前記少なくとも１つの優先度にさらに基づく付記１の方法。
付記３
前記少なくとも１つのアプリケーションは、
公式使用及び第１の優先度に関連付けられた第１のアプリケーション；及び
非公式使用及び第２の優先度に関連付けられた第２のアプリケーション、
を備え、そこにおいて前記第１の優先度は前記第２の優先度より高い付記２の方法。
付記４
前記少なくとも１つの優先度は優先度レベルの範囲と関連付けられ、そしてさらに、前記第１の優先度は前記範囲の上位５つの優先度レベルから割り当てられる付記３の方法。
付記５
前記少なくとも１つのアプリケーションは少なくとも１つのサービスの質（ＱｏＳ）と関連付けられ、そして前記受理は前記少なくとも１つのＱｏＳにさらに基づく付記１の方法。
付記６
公式使用アプリケーションをサポートするために非公式使用アプリケーションよりも多い資源を割り当てることをさらに備える付記３の方法。
付記７
前記割り当ては、前記通信ネットワークによって既にサポートされた少なくとも１つの非公式使用アプリケーションのＱｏＳを変更することを備える付記６の方法。
付記８
前記割り当ては、前記通信ネットワークによって既にサポートされた少なくとも１つの非公式使用アプリケーションのデータ・レートを変更することを備える付記６の方法。
付記９
前記割り当ては、前記通信ネットワークによって既にサポートされた非公式使用に関連付けられた前記第２のアプリケーションをドロップすることを備える付記６の方法。
付記１０
公式使用及び非公式使用アプリケーションの両方をサポートすることをさらに備える付記１の方法。
付記１１
前記サポートは、公式使用アプリケーションをサポートするためにセクター容量の程度に対する制限を設定することを備える付記１０の方法。
付記１２
前記少なくとも１つのアプリケーションが公式使用又は非公式使用に関連しているかどうかを、前記優先度に基づいて決定すること、及び
前記アプリケーションの決定に基づいて加入者アカウントを管理すること、
をさらに備える付記２の方法。
付記１３
アクセスの受理を前記アクセス端末に送信することは、前記アクセス端末のＱｏＳプロファイルに一部基づいて前記アクセス端末の少なくとも１つのアプリケーションを検証することをさらに備える付記１の方法。
付記１４
前記優先度はアクセス制御のために使用される付記２の方法。
付記１５
前記優先度は承認制御のために使用される付記２の方法。
付記１６
前記優先度は混雑制御のために使用される付記２の方法。
付記１７
下記のことを備える、通信ネットワークに関連したパケット・データ・サービスを取得するための方法：
少なくとも１つのアプリケーションに基づいて前記通信ネットワークにアクセスの要求を送信すること、そこにおいて前記少なくとも１つのアプリケーションは公式使用及び非公式使用のうちの少なくとも１つに関連している；
前記通信ネットワークからアクセスの受理を受信すること、そこにおいて前記受理は前記少なくとも１つのアプリケーションに関連した使用に基づく；及び
前記少なくとも１つのアプリケーションに対して前記通信ネットワークに対する少なくとも１つの通信経路を確立すること。
付記１８
前記少なくとも１つのアプリケーションは少なくとも１つの優先度にさらに関連付けられ、またそこにおいて前記受理は前記少なくとも１つの優先度にさらに基づく付記１７の方法。
付記１９
前記少なくとも１つのアプリケーションは、
公式使用及び第１の優先度に関連付けられた第１のアプリケーション；及び
非公式使用及び第２の優先度に関連付けられた第２のアプリケーション、
を備え、そこにおいて前記第１の優先度は前記第２の優先度より高い付記１８の方法：
付記２０
前記少なくとも１つの優先度は優先度レベルの範囲と関連付けられ、そしてさらに、前記第１の優先度は前記範囲の上位５つの優先度レベルから割り当てられる付記１９の方法。
付記２１
前記少なくとも１つのアプリケーションは少なくとも１つのサービスの質（ＱｏＳ）と関連付けられ、そして前記受理は前記少なくとも１つのＱｏＳにさらに基づいている付記１７の方法。
付記２２
下記のものを備える、パケット・データ・サービスを提供するための装置：
少なくとも１つのアプリケーションに基づいてアクセスを要求するアクセス端末からの要求を、通信ネットワークと関連したアクセス・ポイントにおいて、受信するための手段、そこにおいて前記少なくとも１つのアプリケーションは公式使用及び非公式使用のうちの少なくとも１つと関連している；
アクセスの受理を前記アクセス端末に送信するための手段、そこにおいて前記受理は前記少なくとも１つのアプリケーションに関連した前記使用に基づく；及び
前記少なくとも１つのアプリケーションに対して前記アクセス端末に対する少なくとも１つの通信経路を確立するための手段。
付記２３
前記少なくとも１つのアプリケーションは、少なくとも１つの優先度に関連付けられ、そしてそこにおいて前記受理は前記少なくとも１つの優先度にさらに基づく付記２２の装置。
付記２４
前記少なくとも１つのアプリケーションは、
公式使用及び第１の優先度に関連付けられた第１のアプリケーション；及び
非公式使用及び第２の優先度に関連付けられた第２のアプリケーション、
を備え、そこにおいて前記第１の優先度は前記第２の優先度より高い付記２３の装置。
付記２５
前記少なくとも１つの優先度は優先度レベルの範囲と関連付けられ、そしてさらに、前記第１の優先度は前記範囲の上位５つの優先度レベルから割り当てられる付記２４の装置。
付記２６
前記少なくとも１つのアプリケーションは少なくとも１つのサービスの質（ＱｏＳ）と関連付けられ、そして前記受理は前記少なくとも１つのＱｏＳにさらに基づく付記１の方法。
付記２７
公式使用アプリケーションをサポートするために非公式使用アプリケーションよりも多い資源を割り当てるための手段をさらに備える付記２４の装置。
付記２８
前記割り当てるための手段は、前記通信ネットワークによって既にサポートされた少なくとも１つの非公式使用アプリケーションのＱｏＳを変更することを備える付記２７の装置。
付記２９
前記割り当てるための手段は、前記通信ネットワークによって既にサポートされた少なくとも１つの非公式使用アプリケーションのデータ・レートを変更することを備える付記２７の装置。
付記３０
前記割り当てるための手段は、前記通信ネットワークによって既にサポートされた非公式使用に関連付けられた前記第２のアプリケーションをドロップすることを備える付記２７の装置。
付記３１
公式使用及び非公式使用アプリケーションの両方をサポートするための手段をさらに備える付記２２の装置。
付記３２
前記サポートするための手段は、公式使用アプリケーションをサポートするためにセクター容量の程度に対する制限を設定することを備える付記３１の装置。
付記３３
前記少なくとも１つのアプリケーションが公式使用又は非公式使用に関連しているかどうかを、前記優先度に基づいて決定するための手段、及び
前記アプリケーションの決定に基づいて加入者アカウントを管理するための手段、
をさらに備える付記２３の装置。
付記３４
受理を送信するための手段は、前記アクセス端末のＱｏＳプロファイルに一部基づいて前記アクセス端末の少なくとも１つのアプリケーションを検証するための手段をさらに備える付記２２の装置。
付記３５
前記優先度はアクセス制御のために使用される付記２３の装置。
付記３６
前記優先度は承認制御のために使用される付記２３の装置。
付記３７
前記優先度は混雑制御のために使用される付記２３の装置。
付記３８
下記のものを備える、通信ネットワークに関連したパケット・データ・サービスを取得する装置：
少なくとも１つのアプリケーションに基づいて前記通信ネットワークにアクセスの要求を送信するための手段、そこにおいて前記少なくとも１つのアプリケーションは公式使用及び非公式使用のうちの少なくとも１つに関連している；
前記通信ネットワークからアクセスの受理を受信するための手段、そこにおいて前記受理は前記少なくとも１つのアプリケーションに関連した使用に基づく；及び
前記少なくとも１つのアプリケーションに対して前記通信ネットワークに対する少なくとも１つの通信経路を確立するための手段。
付記３９
前記少なくとも１つのアプリケーションは、少なくとも１つの優先度に関連付けられ、そしてそこにおいて前記受理は前記少なくとも１つの優先度にさらに基づく付記３８の装置。
付記４０
前記少なくとも１つのアプリケーションは、
公式使用及び第１の優先度に関連付けられた第１のアプリケーション；及び
非公式使用及び第２の優先度に関連付けられた第２のアプリケーション、
を備え、そこにおいて前記第１の優先度は前記第２の優先度より高い付記３９の装置。
付記４１
前記少なくとも１つの優先度は優先度レベルの範囲と関連付けられ、そしてさらに、前記第１の優先度は前記範囲の上位５つの優先度レベルから割り当てられる付記４０の装置。
付記４２
前記少なくとも１つのアプリケーションは少なくとも１つのサービスの質（ＱｏＳ）と関連付けられ、そして前記受理は前記少なくとも１つのＱｏＳにさらに基づく付記３８の方法。
付記４３
コンピュータに、少なくとも１つのアプリケーションに基づいてアクセスを要求するアクセス端末からの要求を、通信ネットワークと関連したアクセス・ポイントにおいて、受信させるためのコード、そこにおいて前記少なくとも１つのアプリケーションは公式使用及び非公式使用のうちの少なくとも１つと関連している；
コンピュータに、アクセスの受理を前記アクセス端末へ送信させるためのコード、そこにおいて前記受理は前記少なくとも１つのアプリケーションに関連した前記使用に基づく；及び
コンピュータに、前記少なくとも１つのアプリケーションに対して前記アクセス端末に対する少なくとも１つの通信経路を確立させるためのコード、
を備える機械読取り可能媒体を備える、パケット・データ・サービスを提供するためのコンピュータ・プログラム製品。
付記４４
コンピュータに、少なくとも１つのアプリケーションに基づいて前記通信ネットワークにアクセスの要求を送信させるためのコード、そこにおいて前記少なくとも１つのアプリケーションは公式使用及び非公式使用のうちの少なくとも１つに関連している；
コンピュータに、前記通信ネットワークからアクセスの受理を受信させるためのコード、そこにおいて前記受理は前記少なくとも１つのアプリケーションに関連した使用に基づく；及び
コンピュータに、前記少なくとも１つのアプリケーションに対して前記通信ネットワークに対する少なくとも１つの通信経路を確立させるためのコード、
を備える機械読取り可能媒体を備える、パケット・データ・サービスを提供するためのコンピュータ・プログラム製品。
付記４５
下記のものを備える、パケット・データ・サービスを提供するための装置：
少なくとも１つのアプリケーションに基づいてアクセスを要求するアクセス端末からの要求を、通信ネットワークと関連したアクセス・ポイントにおいて、受信するように構成された受信モジュール、そこにおいて前記少なくとも１つのアプリケーションは公式使用及び非公式使用のうちの少なくとも１つと関連している；
アクセスの受理を前記アクセス端末へ送信するように構成された送信モジュール、そこにおいて前記受理は前記少なくとも１つのアプリケーションに関連した前記使用に基づく；及び
前記少なくとも１つのアプリケーションに対して前記アクセス端末に対する少なくとも１つの通信経路を確立するための確立モジュール。
付記４６
下記のものを備える、通信ネットワークに関連したパケット・データ・サービスを取得するための装置：
少なくとも１つのアプリケーションに基づいて前記通信ネットワークにアクセスの要求を送信するように構成された送信モジュール、そこにおいて前記少なくとも１つのアプリケーションは公式使用及び非公式使用のうちの少なくとも１つに関連している；
前記通信ネットワークからアクセスの受理を受信するように構成された受信モジュール、そこにおいて前記受理は前記少なくとも１つのアプリケーションに関連した使用に基づく；及び
前記少なくとも１つのアプリケーションに対して前記通信ネットワークに対する少なくとも１つの通信経路を確立するように構成された確立モジュール。
付記４７
下記のものを備える、パケット・データ・サービスを提供するための装置：
少なくとも１つのアプリケーションに基づいてアクセスを要求するアクセス端末からの要求を、通信ネットワークと関連したアクセス・ポイントにおいて、受信する、そこにおいて前記少なくとも１つのアプリケーションは公式使用及び非公式使用のうちの少なくとも１つと関連している、アクセスの受理を前記アクセス端末へ送信する、そこにおいて前記受理は前記少なくとも１つのアプリケーションに関連した前記使用に基づく、そして、前記少なくとも１つのアプリケーションに対して前記アクセス端末に対する少なくとも１つの通信経路を確立するように構成されたプロセッサ；及び
前記プロセッサに結合されデータを格納するためのメモリ。
【図１】
0005646684.tif 000002
【図２】
0005646684.tif 000003
【図３】
0005646684.tif 000004
【図４】
0005646684.tif 000005
【図５Ａ】
0005646684.tif 000006
【図５Ｂ】
0005646684.tif 000007
【図６】
0005646684.tif 000008
【図７】
0005646684.tif 000009
【図８】
0005646684.tif 000010
【図９】
0005646684.tif 000011
【図１０】
0005646684.tif 000012
【図１１】
0005646684.tif 000013
【図１２】
0005646684.tif 000014